(57)【要約】      （修正有）【課題】コイルコード、布は糸の左バイアス縄縒（通常）ロールコードも一方縒で仮りに一本糸に左バイアス方向縒と右バイアス方向縒りしても縒りが戻らない布、コードの提供。【解決手段】Ｒｅｔｕｒｎ  Ｓｔｒｅｔｃｈａｂｌｅ機能は、ポリウレタン高分子の裏側（黒）による相対性を区別ラセンｈｉｇｈ  ｐｏｌｒｍｅを表部白９とを加工は熱着形成するとポリウレタン高分子ｆｉｂｒｅは繋ぎ目コブも必要無く、さらに複数糸縄縒りにポリウレタンｆｉｂｒｅ混縒センイも相対性ネヂリを中央１１で高周波熱着Ａ加工で相対性ネヂリを連続熱着でＲｅｔｕｒｎ  Ｓｔｒｅｔｃｈａｂｌｅのセンイが出来る、ので炭素繊維、ナイロン、ポリエステル、その他金属もポリウレタン加工糸同様にストレッチ出来る従復原理反動するＳｔｒｅｔｃｈａｂｌｅの機能効果が形成出来た。【選択図】図１
2011256513.tif 000002
【特許請求の範囲】
【請求項１】
一本の糸又は一本のプラスチック電線コード金属線をストレッチ出来るＳｔｒｅｔｃｈａｂｌｅ往復原理は本発明でＰｏｌｙｕｒｅｔａｎｅ一本の高分子糸を表を図１〜（ａ）で表体１０と裏側体９にする事で高分子側が区別出来た表高分子玉体Ｘ１と裏高分子体Ｘ２玉体にする事でネヂリ回転部Ｓ型１１Ａと次にネヂリ逆転部２型１１Ｂの形成でＳｔｒｅｔｃｈａｂｌｅ相対性引力が発見発明の自動伸縮のスプリングの製造方法は天然繊維や動物毛繊維にプラスチック繊維と縒り合せ図２〜（ｃ）Ｘ１表糸とＸ２表糸高分子体と混紡熱着出来るので右縒糸と左縒糸の中央合体が出来る
又本発明ではストレッチ中央で繋ぎ目や結び目は無いので伸張時は水平、垂直で縮み時も水平垂直が形成されるので炭素繊維も伸縮が出来るので、あらゆるスプリングがリターン．ストレッチ機能は、自動車用スプリング、電線スプリングやイヤホンやオール繊維が往復Ｓｔｒｅｔｃｈａｂｌｅ出来る特徴とする、カール巻き又は縄縒り相対性引力伸縮の工程とからなることを特徴とするＳｔｒｅｔｃｈａｂｌｅの製造方法。
【請求項２】
布帛布地ニット布地の表布右縒り糸部２と裏側左縒り糸部２′相対性縒り糸を合体（熱着又は縫着）Ｂで伸縮機能を有するｐａｎｔｓは右足ストレッチと左足ストレッチ機能を有し、人間の足の動きをキャッチした伸縮機能はＣａｒ  Ｓｅａｔ用、も右伸縮表側縒糸２で左伸縮裏側縒糸２′で相対性伸縮は、Ｃａｒボディー飛行機ボディー図１〜（ｉ）炭素繊維の布地も伸縮性に優れているＳｔｒｅｔｃｈａｂｌｅ布地を特徴とする工程とからなることを特徴とする製造方法。
【請求項３】
強力な張力を有する炭素繊維布地も表布の右縒り糸布と裏側布左縒り糸布合体図１〜（ｇ）の熱着部Ｂの強力なＳｔｒｅｔｃｈａｂｌｅ  ＣＬＯＴＨはさらに厚さ補強の炭素材又はプラスチック材の上塗り材を熱着コーテング図１〜（ｈ）の８布地は右縒糸布と左縒糸布合体で出来る伸縮力は布全体の平均伸縮力を有する自動車ボデーや飛行機ボディーが炭素繊維の強力伸縮作用を有し、片方ネヂレ現象は起らない強度Ｓｔｒｅｔｃｈａｂｌｅ布地からなることを特徴とする、強力ストレッチ出来るＳｔｒｅｔｃｈａｂｌｅの製造方法。
【発明の詳細な説明】
【技術分野】
【０００１】本発明は先の米国特許第６８００１５９Ｂ２号の請求項（クレーム）正方形図１の右ｂｉａｓを白と表布を形成しその布裏側（反転）を左ｂｉａｓを黒布に形成して、左バイアスと右バイアスを区別すると図面で明かに分りやすい方法で図１〜（ａ）のＰｏｌｙｕｒｅｔａｎｅ高分子の糸もネヂリの方向もＳ型と２型で表と裏のネヂリ方向も伸縮糸方法も区別方法に関する。
【背景技術】
【０００２】従来ポリウレタンの伸縮高分子糸は自然現象のゴムの分子と同じ物理的性質と考えられたのでＬｙｃｒａは「偽ゴムの様な名称」は米国特許Ｐｒｉｏｒｉｔｙ４３３０４７号でＳｔｒｅｔｃｈａｂｌｅ  ＣＬＯＴＨ
2011256513.tif 000003
さらに日本２０００−４００１２０号のＰｒｉｏｒｉｔｙ出願は米国特許６８００１５９Ｂ２号正方形を用いて、左バイアス原理ともう一ヶの正方形も用いて右バイアスの相対性高分子を発見したのでＰｏｌｙｕｒｅｔａｎｅ反動作用効果を黒高分子は裏側体にして、次に表高分子を表側体に区別してＳｔｒｅｔｃｈａｂｌｅ原理の発明が解決しようとする課題。【０００３】本発明の基本は米国特許６８００１５９Ｂ２号の正方形２ヶから、右バイアス縒り糸（図１）〜（ａ）白ｈｉｇｈ  ｐｏｌｒｍｅを図１〜（ｂ）表布に織られて次の左バイアス縒り糸（図１）〜（ａ）黒ｈｉｇｈ  ｐｏｌｒｍｅは図１〜（ｃ）裏側左縒糸に反転正方形に変る原理をｐｈｏｔｏｇｒａｐｈで証拠証明した。
【課題を解決するための手段】
【０００４】米国特許６８００１５９Ｂ２号のｐｒｉｏｒｉｔｙ日本出願中、不正文書は正方形２ヶの左バイアス線、右バイアス線が菱形に捏造されて、バイアスは正バイアスは１ヶだけだと偽装裁判決定をｐａｎｔｓ用ジーンズ布で実物写真で明かにした図１〜（ｄ）は本発明の図１〜（ｂ）一枚布地ｐａｎｔｓは右綾地右バイアス布地の一枚布裁断であるが右綾方向（ｂ）のネジレ現象が起るが、本発明では図１〜（ｄ）ｐａｎｔｓ裁断は実物ｐｈｏｔｏｇｒａｐｈ  ｐａｎｔｓの片足を別々に裁断で表布地は右綾地で裏布地は左綾地の２枚裁断で可能となる、さらにポリウレタン高分子も右バイアスと左バイアスのヂクザクの高分子でバイアスは１ヶ正バイアスは嘘でバイアスは左バイアスと右バイアス証拠はジィーンズｐａｎｔｓの表右バイアス綾で裏は左バイアス。
【発明を実施するための最良の形態】
【０００５】本図１〜（ａ）は一本のＰｏｌｙｕｒｅｔａｎｅ高分子センイを、伸縮高分子に変化させる目的で表側を白高分子体を左ネヂリと右ネヂリでＳ型と２型を形成してＰｏｌｙｕｒｅｔａｎｅ  Ｓｔｒｅｔｃｈａｂｌｅ  ｆｉｂｒｅを一本糸で発見発明した図１〜（ｂ）は正方形布地から右ｔｗｉｓｔバイアス繊維図１〜（ｂ）の７線上の糸バイアス方向、表布正方形内縒タテ糸右縒糸１と横縒糸２で表わす図１〜（ｃ）は、本発明一枚布裁断ｐａｎｔｙ  Ｈｏｕｓ表布バイアスで右縒糸２。図１〜（ｄ）は裏側正方形布地「左縒糸タテ糸〜１′横糸２′である」。図１〜（ｅ）は２枚布裁断の形態でｐａｎｔｙ  Ｈｏｕｓ右綾地右縒り糸は表布地で左綾地は左縒り糸相対性は（ｐｈｏｔｏｇｒａｐｈ）でリバイシル布地は色違いのファッション性が有る、さらに、右足と左足のストレッチ出来る方法の最良の形態だ。図１〜（ｇ）は炭素繊維及びポリウレタン高分子糸ポリエステル分子糸、縒り糸相対性「右縒糸と左縒糸」反動糸を高熱接着又は縫着させる目的はストレッチ出来る機能の布地はネヂレ現象を起さない、炭素繊維布地形態に図１〜（ｈ）は補強目的で上塗材をコーティング、Ｃａｒｂｏｎ  Ｐｌａｓｔｉｃ  ８を加えて高熱度で熱着材８は強度がさらに増すＣＬＯＴＨはネヂレが少ない表正方形と裏正方形をタイルの様に高熱度でＣａｒｂｏｎ  ＣＬＯＴＨが熱着形態図１〜（ｉ）はＣａｒ  Ｓｅａｔで表布右縒糸布と裏布左縒糸布合体縫い合せで下記はＣａｒボデー用に炭素繊維コーテング布で右縒り糸布と左縒り糸布合体炭素繊維は下記の例、飛行機ボデーも強力なＳｔｒｅｔｃｈａｂｌｅ機能の形態を有する事が出来る。【０００６】  図２（ａ）〜（ｂ）は本発明の実施の形態はポリウレタン高分子の原子の（糸）：Ｇ（張力）：ｎ（ねばり）をＳ型ネヂリと２型ネヂリ図１〜（ａ）の応用作用を一本の繊維及び一本のＳｔｅｅｌを表側を９として、裏側を１０と表現すると一本のセンイに区別して、表９と裏１０を中央でネヂリ部１１が生れるとポリウレタン高分子：Ｇ〜：ｎの張力とねばりで出来る表体と裏体のネヂリ、１１はストレッチ出来る反転力学を表わす事が出来る。基本がツートンカラー白と黒で表現出来た、次に図２〜（ｃ）はポリウレタン糸昆紡糸及び下記はポリエステル昆紡を表縒を９′として裏縒を１０Ａを合体を高熱度接着で反動縒り糸合体でストレッチ出来る糸を加工糸出来る方法は一本糸で出来るので反動結び瘤ｗｅｎ二本糸結びしないで反体の縄縒りが合体でストレッチ出来る一本糸が出来る、図２〜（ｄ）は衿首二重Ｋｎｉｔ布バインダーテープ縒り糸９′を表布地と左縒り糸１０Ａを縫い合せると本発明のストレッチ出来るＴシャツ衿首出来る、さらに上衿も可能だ図２〜（ｅ）は本発明のの実施の形態で、右縒糸上衿で左縒糸Ｇ衿で合体縫い合せ及び熱着で相対性縒糸布のＳｔｒｅｔｃｈａｂｌｅ  ＣＬＯＴＨが出来る、図２〜（ｆ）のオートバイ用Ｃａｒ用Ｓｕｓｐｅｎｓｉｏｎも相対性スプリングは中央部１１′のネヂリで二方向ストレッチ伸縮が出来上る。【０００７】図３〜（ａ）は本発明、相対性ストレッチャブル機能伸縮で出来たｅａｒｐｈｏｎ実物写真で表カール（コード）９′で裏カール（コード）は１０Ａの３ヶ所スプリングは図３〜（ｂ）の表���縒カールと裏左縒カールのバイアスＵ．Ｓ．Ｐａｔの合体６８００１５９Ｂ２の応用した新原理の形態で図３〜（ｃ）はポリウレタン高分子の原子を並べたが、ネヂリｔｗｉｓｔが不明でｄｅｆｏｃｔに気付いた説明で正しくは図２〜（ｂ）のポリウレタン表白高分子で裏黒高分子でＳｔｒｅｔｃｈａｂｌｅ分子をわかりやすく説明を発見したネヂレ張力＝：Ｇ１１′として粘力：ｎ＝表９〜９′と裏１０〜１０′と表現する事でＳｔｒｅｔｃｈａｂｌｅ原理が見えてくる。図３〜（ｄ）は電話線やＣａｒ  Ｐｅｄａｌの欠陥現象片方向スプリングである図３〜（ｅ）は実物で完成したｅａｐｈｏｎで左方向と右方向伸縮でＣｏｉｌが団子巻付起さない引力の機能を有し中央が図２〜（ａ）の１１′張力基点で図３〜（ｆ）はｂｕｉｌｄｅｎｇのＳｔｒｅｔｃｈａｂｌｅ  Ｓｔｅｅｌも張力相対性スプリング。
【実施例】
【実施例１】
【０００８】図１〜（ａ）ポリウレタン高分子ラセン表糸９と裏方向糸を１０のラセン糸に１ヶ所以上にネヂレ部Ｓ型と次のネヂレ部２型ＩＩを張力体：Ｇを作成し白高分子玉体（ｈｉｇｈ  ｐｏｌｒｍｅ白）と黒高分子玉体（ｈｉｇｈ  ｐｏｌｒｍｅ黒）区別する方法で、図２〜（ｂ）は縒糸方向を表右縒正方形布糸１〜２表現し、図２〜（ｃ）一枚布ｐａｎｔｙ  Ｈｏｏｓ表布右縒り糸で、次に図２〜（ｄ）は二枚目の布で裏側布（黒）糸縒り１′〜２′は反転（写眞）図である。図１〜（ｅ）は実物布地（ジィーンズ）で表側布は右バイアス綾地で裏側布は左バイアス綾地で二枚布地であり図１〜（ｇ）はその表布地と裏布地の２枚炭素繊維布地を高温度熱着又は縫い合ＢするとＢは右縒り張力表１１糸と裏左縒り張力１１、反発合体２〜２′糸布が出来上り、図１〜（ｈ）はその出来上り布地上に液体ｆｌｕｉｄ又は固体炭素プラスチック８を高温度熱着。図１〜（ｉ）はそれらの糸布地の実施例にＣａｒ  Ｓｅａｔ．Ｃａｒボディーや飛行機ボディーに用いた説明図である。
【実施例２】
【０００９】図２〜（ａ）〜（ｆ）は、Ｒｅｔｕｒｎ  Ｓｔｒｅｔｃｈａｂｌｅ原理のｃｏｉｌ  ｒｏｕｎｄで高分子のストレッチャブル原理発明を用いた、リターンストレーチャブルコイルから糸を用いたシャツ衿ストレッチャブルからＣａｒ、オートバイ用Ｓｕｓｐｅｎｓｉｏｎリターンストレッチャブル機能は伸縮のｇｒａｖｉｔａｔｉｏｎ新発見。
【実施例３】
【００１０】図３は上記高分子ポリウレタン相対性表と裏ネヂリの方法で（ａ）図は実物製作イヤホンを５ヶ所ネヂリの表９′と裏１０′スプリングのリターンｅａｒｐｈｏｎ、伸縮で団子むすび目を必要としない、美しいスプリング可能。図３〜（ｄ）のＣａｒ  Ｐｅｄａｌ欠陥巻込を起さない、電話線も団子巻無し直線リターンで縮む機能は建築用Ｓｔｅｅｌも伸縮性に優れている。
【発明の効果】
【００１１】本発明の最大の効果は相対性でＲｅｔｕｒｎ引力のＳｔｒｅｔｃｈａｂｌｅ。
【図面の簡単な説明】
【００１２】
【図１】（ａ）〜（ｉ）は高分子糸を表〜裏をネヂリ回転糸で伸縮力を発生させる本発明のリターンでストレッチ出来るスプリングの糸と布の製造方法の基本的な手順を示す概略斜視図である。
【図２】（ａ）〜（ｆ）はＳｔｅｅｌ棒でＳｕｓｐｅｎｓｉｏｎ（Ｃａｒ用）やポリウレタン糸混紡左縒と右縒相対性糸熱着加工糸を用いたｇａｒｍｅｎｔやコード縒り表〜裏側を用いてリターンストレッチさせる本発明の基本的な手順を示す概略斜視図である。
【図３】（ａ）〜（ｆ）はイヤホンの完成品のリターンストレッチ出来る写眞図からＳｔｅｅｌ  Ｓｔｒｅｔｃｈａｂｌｅ  ｂｕｉｌｄｅｎｇと欠陥スプリングＣａｒ  Ｐｅｄａｌを改良、修理で製造したイヤホン作りのスプリング機能の本発明の方法の基本的な手順を示す概略斜視図である
【符号の説明】
【００１３】Ｘ−−−−ポリウレタン高分子玉表側（３Ｄ  Ｓｔｒｅｔｃｈ図表現）
Ｘ′−−−−ポリウレタン高分子玉裏側  Ｘ′
１−−−−表側布地タテ右縒糸（正方形内糸部）
１′−−−−裏側布地タテ左縒糸（正方形内糸部）１′
２−−−−表側布地ヨコ右縒糸（正方形内糸部）
２′−−−−裏側布地ヨコ左縒糸（正方形内糸部）２′
３−−−−表側布地の正方形右側上部
３′−−−−裏側布地の正方形左側上部
４−−−−−表側布地の正方形左側下部
４′−−−−裏側布地の正方形右側下部
５−−−−表側布地の正方形右側下部
５′−−−−裏側布地の正方形左側下部
６−−−−表側布地の正方形左側上部
６′−−−−裏側布地の正方形右側上部
７−−−−表側布地の正方形３〜４方向に結ぶ右バイアス線
７１−−−−裏側布地の正方形３′〜４′方向に結ぶ左バイアス線
７２−−−−表側布地一枚ｐａｎｔｓ裁断の斜め編８０°〜８５ずれ編方向
８−−−−炭素繊維布地上に炭素プラスチック体熱着コーテング部材
９−−−−ポリウレタン表側糸部又はＣｏｉｌ線及び表側縒糸部（白）
１０−−−−ポリウレタン裏側糸部又はＣｏｉｌ線及び裏側縒糸部（黒）
１１−−−−ストレッチ基点中心部ネヂリ回転部は１１ＡはＳ型と２型１１Ｂ
９（１）〜９（２）−−−−９（１）＝ｇａｒｍｅｎｔ衿部タテ糸９（２）＝その衿ヨコ糸
１０（１）〜１０（２）−−−−１０（１）＝ｇａｒｍｅｎｔ衿部タテ糸１０（２）＝その衿ヨコ糸
１２−−−−ｇａｒｍｅｎｔ上衿部
１３−−−−ｇａｒｍｅｎｔＧ衿部
Ｂ−−−−表布地と裏布地合体するネヂリ部高周波熱着又は縫着
Ａ−−−−一本糸又は一本コード中央部熱着固定ｆｉｘ形成部
【図１】
2011256513.tif 000004
【図２】
2011256513.tif 000005
【図３】
2011256513.tif 000006